(57)【要約】【課題】封入したハロゲンにより金属パイプが変質することを抑制して封着部に生じるクラックやリークを抑制できる、長寿命で高い信頼性が得られる高圧放電ランプおよびこの放電ランプを装着した照明装置を提供することを目的とする。【解決手段】放電空間を形成する膨出部１１の両端に連通して設けられた一対の小径筒状部１２，１２を有する透光性セラミックス放電容器１と、この放電容器１の各小径筒状部１２，１２に接着層３を介し気密封着され、少なくとも容器１の内周面の表面側を耐ハロゲン性の金属またはセラミックスの少なくとも一種で構成した金属パイプ２と、この両金属パイプ２の外側端部においてパイプ２を気密閉塞するとともに電極４１を有する電極構体４の端部を埋設支持した金属ろう材５と、上記放電容器１内に封入されたハロゲン化物を含む放電媒体とを備えている高圧放電ランプＬ１およびこの放電ランプＬ１を装着した照明装置Ｓである。【選択図】　図１
2004055149.tif 000002
【特許請求の範囲】
【請求項１】
放電空間を形成する膨出部の両端に連通して設けられた膨出部より内径が小さい一対の小径筒状部を有する透光性セラミックス放電容器と；
この放電容器の各小径筒状部に接着層を介し気密封着され、少なくとも容器内周面の表面側を耐ハロゲン性の金属またはセラミックスの少なくとも一種からなる材料で構成した金属パイプと；
この両金属パイプの外側端部においてパイプを気密閉塞するとともに容器内に臨ませた電極を有する電極構体の端部を埋設支持した金属ろう材と；
上記放電容器内に封入されたハロゲン化物を含む放電媒体と；
を具備していることを特徴とする高圧放電ランプ。
【請求項２】
金属パイプが、タングステン、タンタルまたはモリブデンのうちから選ばれた材料で形成されていることを特徴とする請求項１に記載の高圧放電ランプ。
【請求項３】
耐熱・透光性気密容器からなる外管と；
この外管内に封装された請求項１または２に記載の高圧放電ランプと；
を具備していることを特徴とする多重管形高圧放電ランプ。
【請求項４】
照明装置本体と；
この照明装置本体に設けられた請求項１ないし３のいずれか一に記載の高圧放電ランプまたは多重管形高圧放電ランプと；
この高圧放電ランプを付勢する点灯回路手段と；
を具備していることを特徴とする照明装置。
【発明の詳細な説明】
【０００１】
【発明の属する技術分野】本発明は、透光性セラミックスからなる放電容器内にハロゲン化物を含む放電媒体を封入した高圧放電ランプおよびこの放電ランプを用いた照明装置に関する。
【０００２】
【従来の技術】高圧放電ランプは、高効率、長寿命の特性を有することから種々用途のランプの開発がすすめられている。この中で、近年、電球形高圧放電ランプや車両前照灯用ハロゲン電球などの代替用光源として、ハロゲン化物を含む放電媒体を封入したランプ電力が１０〜３０Ｗ程度の小形のメタルハライドランプがある。
【０００３】
たとえば従来の電球形高圧放電ランプを構成する小形メタルハライドランプは、ランプ効率がハロゲン電球に比較して約３〜４倍であるとともに、電球形蛍光ランプに比べて著しく小さいので、点光源として用いることができ、ランプとともに新しい照明システムとしても発展が期待されている。
【０００４】
この小形メタルハライドランプは、たとえば特開平１０−２８４００４号公報、特開平１０−８３７９６号公報や特開２００１−７６６７７号公報などに記載されているように、膨出部の両端に連通して設けられた膨出部より内径が小さい一対の小径筒状部を有する透光性セラミックス放電容器と、この各小径筒状部内にアルミナなどを主成分とするセラミック接着剤などを介し気密封着されたモリブデン製の金属パイプと、この金属パイプの開口端を気密閉塞するとともに膨出部内に臨む電極構体の基端部を支持する金属ろう材と、上記放電容器内に封入したハロゲン化物、水銀、希ガスなどの放電媒体とで構成されている。
【０００５】
このような構成のランプは、金属パイプを構成するモリブデンが、発光部材（放電媒体）として封入したヨウ化ナトリウムやヨウ化スカンジウムなどのヨウ素と結合してヨウ化モリブデンとなり、このヨウ化モリブデンが体積膨脹を起こして、小径筒状部と金属パイプとを接合する接着層に応力が生じ、封着部にクラックを生じたり界面からの剥がれによるリーク発生があり、ランプ寿命の信頼性を損なう不具合があった。
【０００６】
【発明が解決しようとする課題】そこで、本発明者等は、この問題を回避するべく種々究明した結果、金属パイプの耐ハロゲン性を高めることにより不具合の発生を抑制できることを見出だした。
【０００７】
なお、高圧放電ランプにおいて、石英ガラス製容器端部の封止部内に気密埋設されるモリブデン箔の表面を、タングステンまたはタンタルからなる材料で被覆し、耐ハロゲン性を高めることは知られている。しかし、透光性セラミックス製の放電容器を用い従来より小形・高効率化した放電ランプにおいて、容器の端部を閉塞するとともに電極の支持および電気的な接続をなすパイプ状の導入導体を、より耐ハロゲン性の高い部材で構成することについては現在まで何等必要はないものと考えられていた。
【０００８】
本発明は、上記事情に鑑みなされたもので、封入したハロゲンにより金属パイプが変質することを抑制して封着部に生じるクラックやリークを抑制できる、長寿命で高い信頼性が得られる高圧放電ランプおよびこの放電ランプを装着した照明装置を提供することを目的とする。
【０００９】
【課題を解決するための手段】請求項１の発明の高圧放電ランプは、放電空間を形成する膨出部の両端に連通して設けられた膨出部より内径が小さい一対の小径筒状部を有する透光性セラミックス放電容器と、この放電容器の各小径筒状部に接着層を介し気密封着され、少なくとも容器内周面の表面側を耐ハロゲン性の金属またはセラミックスの少なくとも一種からなる材料で構成した金属パイプと、この両金属パイプの外側端部においてパイプを気密閉塞するとともに容器内に臨ませた電極を有する電極構体の端部を埋設支持した金属ろう材と、上記放電容器内に封入されたハロゲン化物を含む放電媒体とを具備していることを特徴とする。
【００１０】
本発明および以下の各発明において、特に指定しない限り用語の定義および技術的意味は次による。
【００１１】
放電容器の形状は、放電空間を形成する真球状ないしは楕円状や長円状あるいは円筒状などをなす膨出部の両端に、この膨出部より内径が小さい連通した一対の小径筒状部を有する。この放電容器は、膨出部と一対の小径筒状部とが一体に成形されていても、両者が接合などで一体化して成形されたものであってもよい。
【００１２】
放電容器を形成する透光性セラミックス材料としては、サファイア、アルミニウム酸化物（Ａｌ２　Ｏ３　）、イットリウム−アルミニウム−ガーネットの酸化物（ＹＡＧ）、イットリウム酸化物（ＹＯＸ）やアルミニウム窒化物（ＡｌＮ）のような光透過性および耐熱性を備えた材料を用いることができる。
【００１３】
また、透光性とは放電によって発生した光を透過して外部に放出できる程度の光透過性を有し、透明に限らず、光拡散性であってもよい。また、膨出部は透光性を要するが、小径筒状部など放電による放射を主としていない部分は、遮光性であってもよい。
【００１４】
さらに、本発明において、放電容器の内容積は制限されるものではないが、小形の高圧放電ランプを得るためには、放電容器を０．０６ｃｃ以下、好ましくは０．０４ｃｃ以下がよい。さらにまた、放電容器の全長は３５ｍｍ以下、好ましくは１０〜３０ｍｍ程度がよい。
【００１５】
金属パイプは、透光性セラミックス放電容器の端部を閉塞するとともに電極構体を支持している。この金属パイプは、放電媒体、特にハロゲンからの耐腐食性を有するとともに透光性セラミックス放電容器と高い気密封着性を有する、放電容器と熱膨脹率が近似したタングステンＷ、タンタルＴａやモリブデンＭｏなどの材料から形成されている。
【００１６】
そして、放電容器の一部を形成する金属パイプの内周面の表面部分には、タングステンやタンタル材料の場合は耐ハロゲン性が高くそのままでよいが、モリブデン材料の場合にはハロゲンと結合して予想以上の体積膨脹を招くので、その内表面に次の材料および形態で被覆が行われている。
【００１７】
この材料としてはタングステンＷ、タンタルＴａ、白金Ｐｔ、金Ａｕや銀Ａｇなど、これら金属の合金やこれら金属が主体の他の材料との合金またはモリブデン材料以上に耐ハロゲン性の高いアルミニウム、ケイ素、イットリウムやディスプロシウムなどの酸化物（Ａｌ２　Ｏ３　、ＳｉＯ２　、Ｙ２　Ｏ３　、Ｄｙ２　Ｏ３　など）からなるセラミックスあるいはタングステンＷやタンタルＴａの酸化物などあるいはこれら酸化物の混合物を一種ないしは複数種を用いることができ、被覆形態としてはパイプ状に成形して挿入したり、粉末を塗布することにより形成できる。
【００１８】
また、この金属パイプは、基端側が放電容器内と連通した状態で各小径筒状部の内周面または外周面にサーメットやセラミックスなどからなるコンパウンドを封着用接着剤として介し気密封着されている。また、各金属パイプの先端側は小径筒状部から突出し放電容器内の排気、放電媒体の封入が行われた後、開口端に金属ろう材が充填されて気密閉塞している。
【００１９】
この金属ろう材としては、放電ランプの正常動作時の温度上昇に耐えるとともに金属パイプの材料と融点が同等か低く、かつ、パイプと熱膨脹率が近似した白金、バナジウムまたはモリブデンあるいはこれらと他の金属との合金などのろう材を用いることができる。また、たとえば金属パイプをモリブデンからなる材料で形成した場合、パイプの先端をレーザや電子線照射などの加熱により溶融してパイプ自体をろう材としても差支えない。
【００２０】
各電極構体は、電極軸の基端側が金属パイプの先端側を気密閉塞している金属ろう材中に埋設固定され、先端部が放電容器の膨出部内に臨んでいるとともにこの先端部にコイル状の電極が巻装されている。この電極や電極軸などの電極構体は、タングステン、レニウム入りタングステンやモリブデンなどの高融点金属材料から形成され、放電基体となる電極部は電極軸自体が電極となるものであっても差支えない。また、一対の電極構体は、形状や大きさなどが対称構造であっても、非対称構造であってもよい。
【００２１】
放電媒体は、発光金属、ランプ電圧形成媒体および希ガスを選択組合せることにより得られ、発光金属やランプ電圧形成媒体としてはナトリウム、リチウム、スカンジウムや希土類金属などの中から選ばれた一種ないしは複数種とヨウ素、臭素や塩素などの中から選ばれた一種ないしは複数種のハロゲンとのハロゲン化物あるいは水銀やアマルガムが、また、希ガスとしてはキセノン、アルゴン、クリプトン、ネオンなどが単体あるいは混合して始動用あるいは緩衝用として、点灯中約１００ｋＰａ以上の圧力を呈するように放電容器内に封入される。
【００２２】
本発明において、必須構成要件ではないが、必要に応じ始動補助導体を配設することにより、始動電圧を低減することができる。
【００２３】
また、本発明の高圧放電ランプは、透光性セラミックス放電容器が大気中に露出した状態で点灯できるが、このセラミックス放電容器を石英ガラスやホウケイ酸ガラスなどの硬質ガラスからなる透光性および耐熱性を有する材料で形成された外管内に封装した二重管や、さらに、多重管化した多重管形の高圧放電ランプとすることができる。
【００２４】
さらに、外管内の給電線などに、外管内を清浄にするＺｒ−Ａｌ合金などのゲッタを設けておくことは構わない。
【００２５】
請求項１に記載の発明の高圧放電ランプは、放電容器が膨出部と一対の小径筒状部とで形成され、各小径筒状部に接合した金属パイプの開口端部に充填した金属ろう材で容器の気密閉塞をはかっているとともに電極構体の支持が行なわれている。
【００２６】
そして、容器の一部を形成し容器内面に連通している上記金属パイプの内周面は、耐ハロゲン性の高い物質からなる。すなわち、金属パイプの最内周面がタングステンやタンタル材料が用いられている場合はそのままでもよいが、モリブデン材料からなるパイプの場合には、パイプ内にさらにタングステン、タンタル、白金、金や銀など、これら金属の合金やこれら金属が主体の他の材料との合金などの金属材料で形成したパイプあるいは同様にモリブデン材料以上に耐ハロゲン性の高いアルミニウム、ケイ素、イットリウムやディスプロシウムなどの酸化物からなるセラミックス材料あるいはタングステンやタンタルの酸化物などあるいはこれら酸化物の混合物をパイプ状に成形したものを、金属パイプ内に同軸状に挿入し接着層を介し接合している。
【００２７】
また、上記金属材料あるいは上記セラミックス材料の粉末を単独あるいは混合して塗布した被覆層として形成することもできる。
【００２８】
また、上記の同軸状に挿入したパイプ間を接合する接着剤としては、放電容器の小径筒状部と金属パイプとを封着する上記接着剤のほか、タングステン、タンタル、モリブデンなどのうちの少なくとも一種の粉末と、アルミニウム、ケイ素、イットリウム、モリブデンなどの酸化物のうちの少なくとも一種の粉末とのサーメットやセラミックスなどからなるコンパウンドを有機バインダで混練したペースト状のものを用いることができ、両者間に塗布したのち乾燥、焼結することによって接合される。
【００２９】
また、タングステンやタンタルの粉末の被覆層またはアルミニウム酸化物（Ａｌ２　Ｏ３　）などによるセラミックス粉末の被覆層の形成は、所定の金属材料粉末やセラミックス材料粉末を用意し、これら粉末と有機バインダとを混練してペーストを作り、このペーストをパイプの内表面に塗布したのち乾燥、焼結することによって形成される。
【００３０】
このように、金属パイプの最内周面がタングステンやタンタルあるいはセラミックスで被覆されることにより、金属パイプをはじめ容器の内周面の表面側にはモリブデンが露出した部分がなくなる。したがって、モリブデン材料とハロゲンと結合して体積が膨脹することがなく、接合部に応力が生じることを抑制できる。
【００３１】
なお、接着剤中やろう材中にモリブデンが含まれる場合は、極めて少量であるので問題ないが、これら接着剤やろう材の表面を上記タングステンやタンタルあるいはセラミックスで被覆しておくことは差支えない。
【００３２】
請求項２に記載の発明の高圧放電ランプは、金属パイプが、タングステン、タンタルまたはモリブデンのうちから選ばれた材料で形成されていることを特徴とする。
【００３３】
金属パイプは、透光性セラミックス放電容器の端部を気密に閉塞するとともに電極構体を支持する。この金属パイプは、放電媒体に対し耐腐食性を有するとともに透光性セラミックス放電容器と高い気密封着性を有する熱膨脹率が近似したタングステン、タンタルまたはモリブデンを主体とする金属材料とすることによって、上記請求項１に記載したと同様な作用を奏する。
【００３４】
すなわち、金属パイプは、基端側が放電容器内と連通した状態で各小径筒状部の内周面または外周面にサーメットやセラミックス封着用コンパウンドなどを介し気密封着されている。また、この各金属パイプの先端側は小径筒状部から突出し放電容器内の排気、放電媒体の封入が行われた後、開口端に金属ろう材を充填して気密閉塞されているとともに小径筒状部の内部側に電極を有する電極構体を埋設支持している。
【００３５】
また、この金属パイプの外径を０．６〜１．６ｍｍ程度とすることによって、パイプの開口端を閉塞する金属ろう材と相乗して強固な気密性を得ることができる。また、金属ろう材の厚さは０．２〜１．５ｍｍ程度とすることによって、パイプの外径と相乗して強固な気密閉塞を得ることができる。
【００３６】
請求項３に記載の発明の多重管形高圧放電ランプは、耐熱・透光性気密容器からなる外管と、この外管内に封装された請求項１または２に記載の高圧放電ランプとを具備していることを特徴とする。
【００３７】
上記請求項１または２に記載の高圧放電ランプを、発光管として外管内に収容し多重管とすることにより、点灯時に昇温する発光管（放電ランプ）部品の酸化や汚損などを防止するとともにその取扱いや安全性を高めることができる。
【００３８】
また、外管容器に反射面や着色膜、蛍光体膜などを形成すれば効率向上や用途の拡大をはかることができる。
【００３９】
請求項４に記載の発明の照明装置は、照明装置本体と、この照明装置本体に設けられた請求項１ないし３のいずれか一に記載の高圧放電ランプまたは多重管形高圧放電ランプと、この高圧放電ランプを付勢する点灯回路手段とを具備していることを特徴とする。
【００４０】
本発明において、照明装置は、高圧放電ランプの発光を何らかの目的で用いるあらゆる装置を含む広い概念である。たとえば、電球形高圧放電ランプ、照明器具、前照灯装置、投光装置、光ファイバー用光源装置、画像投射装置、光化学装置、指紋判別装置などに適用することができる。
【００４１】
照明装置本体とは、上記照明装置から高圧放電ランプを除いた残余の部分をいう。また、電球形高圧放電ランプとは、高圧放電ランプと、その点灯回路手段とを一体化し、さらに受電用の口金を付設してなり、口金に適応するランプソケットに装着することにより、白熱電球を点灯するような感覚で使用することができるように構成した照明装置を意味する。
【００４２】
また、照明装置は放電ランプの発光や配光を制御し保護するためのレンズ、フィルター、光拡散カバーなどの制光体や反射鏡、筐体を備えることができる。
【００４３】
照明装置が照明器具の場合、照明器具は点灯回路を一体または一体的に備えていても、器具と離れ配設されていてもよい。
【００４４】
点灯回路は、高周波または低周波の交流あるいは直流のいずれかで放電ランプを点灯できればよい。
【００４５】
【発明の実施の形態】以下、本発明の実施の形態を図面を参照して説明する。
【００４６】
図１は、本発明の高圧放電ランプの実施形態を示す一部断面正面図である。図２（ａ）は、この高圧放電ランプに用いられる金属パイプおよび電極構体を備えた金属ろう材の実施の形態を示す断面正面図、図３は図１の高圧放電ランプを外管内に封装した二重管形の高圧放電ランプの実施形態を示す概略正面図である。
【００４７】
図１において、高圧放電ランプＬ１は、通常、発光管とも呼ばれ、透光性セラミックス放電容器１、金属パイプ２，２、接着層３，３、一対の電極構体４，４、金属ろう材５，５および容器１内に封入された図示しない放電媒体から構成されている。
【００４８】
放電容器１は、透光性アルミナセラミックスからなる肉厚が約０．５ｍｍ、最大外径が約６ｍｍのほぼ球状をなしている膨出部１１の両端に連続的な曲面によって繋った外径が約２．７ｍｍ、長さが約１．５ｍｍの小径筒状部１２，１２を連設した、小径筒状部１２，１２を含む全長が約２０ｍｍの一体成形されたものからなる。
【００４９】
また、放電容器１の両小径筒状部１２，１２内には、肉厚が約０．１５ｍｍ、外径Ｄが約１ｍｍ、全長が約５ｍｍのモリブデンからなる金属パイプ２が突出長さ約２ｍｍを残し挿入され、小径筒状部１２内面と金属パイプ２の外面とがモリブデン粉末とアルミナセラミックス粉末とのコンパウンドを焼結した多孔質状のサーメットを主体とし、この多孔質状部内フリットガラスを含浸させてなる接着層３を介し気密に接合している。また、放電容器１の内部と連通する金属パイプ２の内周面の表面部分にはタングステン粉末の被覆層２Ｃが形成してある。
【００５０】
また、各小径筒状部１２の端部から突出した金属パイプ２の外側端部において、開口部は白金からなる金属ろう材５により気密に閉塞されている。
【００５１】
また、各電極構体４，４は、基端部が上記金属ろう材５中に埋設支持されて各小径筒状部１２，１２内に延在する電極軸４１と、この電極軸４１の先端部で膨出部１１内に臨む位置において巻回したコイル状の電極４２とからなる。
【００５２】
この電極構体４は、外径約０．２ｍｍ、全長が約４ｍｍのタングステン線などからなる電極軸４１の一端側が金属ろう材５中に埋設支持され、先端部に外径が約０．１５ｍｍのタングステン線を４ターン巻回したコイル状の電極４２，４２が約３ｍｍの放電間隙を隔て対峙して設けられている。
【００５３】
また、上記放電容器１内には、放電媒体としてＮａＩ３　７０質量％：ＴｌＩ１０質量％：ＤｙＩ３　２０質量％のハロゲン化物を約０．４ｍｇ、Ｈｇを約０．２１ｍｇ、希ガスとしてＮｅ約９７容量％：Ａｒ約３容量％の混合ガスを約２６．７Ｐａ封入してある。
【００５４】
つぎに、この高圧放電ランプＬ１の製造工程について説明する。まず、膨出部１１の両端に小径筒状部１２，１２を連設した透光性アルミナセラミックスからなる放電容器１、モリブデンからなる金属パイプ２，２および図２（ａ）に示す電極構体４を埋設支持した白金からなる金属ろう材５，５を用意する。
【００５５】
なお、このとき金属パイプ２，２は図２（ａ）に示すように、内周面の表面に予めタングステン粉末と有機バインダとを混練したペーストを塗布し、乾燥・焼結することによって形成したタングステンの被覆層２Ｃを有している。また、金属パイプ２の開口部を閉塞する金属ろう材５および電極構体４（電極軸４１）は図２（ａ）に示すように、小径筒状部１２の内径より小径の円柱状とした金属ろう材５中に電極構体４（電極軸４１）の一端側を埋没固定していて、円柱状の外周面に突起５１を有している。
【００５６】
また、小径筒状部１２の内周面または金属パイプ２の外周面にサーミツトやセラミックスなどからなるコンパウンドを施与しておく。
【００５７】
そして、縦位置にセットした放電容器１の上方の一方の小径筒状部１２の内部に金属パイプ２を挿入し、小径筒状部１２の周囲をタングステンからなる電熱ヒータなどで加熱し接着剤を溶融させて小径筒状部１２内周面と金属パイプ２Ａの外周面との隙間に侵入させ、このコンパウンドを冷却固化することにより接着層３が形成されて両者は気密に封着される。つぎに、他方の小径筒状部１２を上方にして同様に封着が行われ、両方の小径筒状部１２，１２に金属パイプ２，２が封着される。
【００５８】
つぎに、上述したと同様に放電容器１を縦位置にセットして、上方の一方の小径筒状部１２内周面の金属パイプ２内に図２（ａ）に示す電極構体４を入れるとともにその開口端に円柱状の金属ろう材５の外周面に形成してある突起５１を引っ掛け係止させる。この状態で金属ろう材５の露出部および金属パイプ２の開口部付近をＹＡＧレーザービームで短時間照射する。これによって、円柱状の金属ろう材５の周囲が溶融し金属パイプ２の開口端および開口部近傍の内周面に融着して、金属パイプ２の先端開口部が閉塞されるとともに同時に電極構体４が所定の位置に固定支持される。
【００５９】
つぎに、上記と同様に他方の金属パイプ２の開口端に金属ろう材５による閉塞が行われるが、このときは気密状態にあるベルジャー内などにおいて容器１内へ放電媒体を封入した後、閉塞作業が行われランプＬ１が完成する。
【００６０】
そして、上記構成の高圧放電ランプＬ１は発光管として、両端の金属パイプ２，２の露出している側面にタンタル線やタンタル箔などがサポート部材６として溶接により接続され、たとえば図３に示す外径が約１２ｍｍ、全長が約３６ｍｍのアルミナシリケートガラスからなる円筒状（Ｔ形）の外管７内に封装されて二重管形の高圧放電ランプＬ２を形成している。
【００６１】
なお、図３中、８，８はモリブデン線などからなるリード線で外管７端部の圧潰封止部７１を気密に貫通して、外管７内において放電ランプＬ１上下のサポート部材６，６と電気的に接続するとともにランプＬ１の機械的な支持をなしている。また、外管７内部は排気管７２を介し真空に排気された後、封切されている。また、リード線８，８の圧潰封止部７１から延出した部分は外部リード線８１，８１として図示しない口金の端子や給電部材に接続される。
【００６２】
この二重管形の高圧放電ランプＬ２のランプは、図示しないインバータを有する高周波点灯回路装置から、給電線−ソケット−給電部材を介し各外部リード線８１−リード線８−サポート部材６−発光管Ｌ１の各金属パイプ２−金属ろう材５−電極軸４１−電極４２に通電され、両電極４２間の放電により発光する。
【００６３】
この二重管形の高圧放電ランプＬ２のランプ特性は、ランプ電圧約７５Ｖ、ランプ電流約０．２５Ａ、ランプ電力約２０Ｗ、管壁負荷約２８Ｗ／ｃｍ２　であった。
【００６４】
また、このランプＬ２は、気密容器１に設けたモリブデンからなる金属パイプ２の内周面にはタングステンの被覆層２Ｃが形成してあるのでパイプ２は保護され、金属パイプ２と容器１内に封入したヨウ素との結合によるパイプ２の体積膨脹を抑制し、パイプ２の外表面と放電容器１の小径筒状部１２内周面とを封着接合する接着層３にかかる応力を低減して、接着層３に生じるクラックや界面の剥がれによるリークなどを防ぐことができる。
【００６５】
したがって、早期にランプ寿命に至らせるなどの不具合のない、長寿命の高圧放電ランプを提供できる。
【００６６】
また、図２（ｂ）は本発明高圧放電ランプの端部に設けられた金属パイプ部分の他の実施の形態を示す一部断面正面図で、図中、図２（ａ）と同一部分には同一の符号を付してその説明は省略する。
【００６７】
図２（ｂ）に示す金属パイプ２はモリブデン材料からなり、このパイプ２内にはタングステンまたはタンタルを主体とする材料で形成したパイプ２Ｐが挿入され、両者の隙間に介在させた接着層３１で接合しているとともに両パイプ２，２Ｐおよび電極構体４の電極軸４２が金属パイプ２の外側端部を閉塞する金属ろう材５によって一体的に固定してある。
【００６８】
このようにモリブデン製の金属パイプ２の内周面をたとえばタングステン製のパイプ２Ｐで覆うようにしても、放電容器１内に封入したヨウ素などのハロゲンとモリブデンとの結合を阻止して、金属パイプ２を上記実施の形態と同様に保護することができる。
【００６９】
また、上記の両金属パイプ２，２Ｐ間を接合する接着剤としては、タングステン、タンタル、モリブデンなどのうちの少なくとも一種の粉末と、アルミニウム、ケイ素、イットリウム、モリブデンなどの酸化物のうちの少なくとも一種の粉末とのコンパウンドを有機バインダで混練したペーストを用いることができ、このペーストを両者間に塗布したのち乾燥、焼結することによって接合される。
【００７０】
なお、この実施の形態において、電極構体４は図２（ａ）に示すものと同様な構造でもよいが、図２（ｂ）中に示すように電極４２と電極軸４１とが同一のもので形成されていても、また、電極軸４１が金属ろう材５中を気密貫通するものであってもよい。
【００７１】
また、図４および図５は本発明の多重管形の高圧放電ランプの他の実施の形態を示す。図４は概略正面図、図５は一部切欠断面正面図で、図中、図１ないし図３と同一部分には同一の符号を付してその説明は省略する。
【００７２】
図４は外管７軸に対し直交した方向に放電ランプＬ１軸を配設した二重管形の高圧放電ランプＬ３で、外径が約３０ｍｍ、全長が約４０ｍｍの円筒状（Ｔ形）をなす外管７内に、最大外径が約６ｍｍ、全長が約２２ｍｍの放電ランプ（発光管）Ｌ１を封装している。
【００７３】
この放電ランプＬ３は、外管７内にランプＬ１を直交して収容することにより、外管７の全長を短縮することができるため、照明装置などへ配設する際の自由度が広がり、反射鏡など器具のコンパクト化がはかれる利点を有する。
【００７４】
また、この二重管形の高圧放電ランプＬ３は、円筒形（Ｔ形）の外管７の全長ＧＬ（封着部７１および排気管７２部は除く）と外径ＧＤとの比率ＧＤ／ＧＬが０．６以上あるのが好ましく、図３に示すランプＬ２と比較して全長を短くしたコンパクトなランプＬ３を実現できる。
【００７５】
また、上記図３に示す二重管形の高圧放電ランプＬ２のように、外管７内のランプＬ１の支持を放電容器１の両小径筒状部１２，１２の外周にタンタルなどの金属箔からなるサポート部材６，６を巻回しその端部をリード線８．８に溶接やかしめにより固定することにより行うようにしている。この場合は、端部寄りで細径の金属パイプ２，２部を支持するのに比べ、耐振性などが向上して強固な支持が実現できる。なお、図中８２，８２は、リード線８．８と金属パイプ２，２との間を電気的に接続する導線、８５はゲツタである。
【００７６】
また、図５に示すランプは、三重管構造をなす反射形の放電ランプＬ４で、ホウケイ酸ガラスなどの硬質ガラスからなる回転放物面や回転楕円面などが形成された椀形の反射体９１の内面にダイクロイックミラーなどの多重光干渉膜やアルミニウムなどの全光反射膜９２が形成してあるとともに、この反射体９１の前面側にレンズや前面カバーなどの制光体９３が融着や接着剤により一体的に接合されていたりあるいは合致して配置されている。
【００７７】
この反射体９１の内部には上記高圧放電ランプＬ１あるいは上記二重管形の高圧放電ランプＬ２またはＬ３が、その放電容器１の膨出部（放電）１１のほぼ中心を反射体９１の焦点位置に位置して配設され、三重管形の高圧放電ランプＬ４を構成している。
【００７８】
なお、反射体９１と制光体９３とで気密容器が形成されている場合は高圧放電ランプＬ１が、また、非気密容器の場合は二重管形の高圧放電ランプＬ２かＬ３が用いられこの場合は三重管構造をなしていることが多い。
【００７９】
また、必要に応じて反射体９１背面の基体部側には口金９４のスカート部９５が加締めや接着剤を介し取着されていて、口金９４の端子にはランプから導出したリード線が接続されている。また、この口金９４の内部に点灯回路を組み込むことも可能である。
【００８０】
このような反射形の放電ランプＬ４は、点灯回路を介し通電されると、高圧放電ランプＬ１が発光するとともにその放射光は、ランプＬ１から直接あるいは反射体９１の反射膜９２により反射されて前方へと放射される。そして、このランプＬ４の場合も、内部に収容した放電ランプＬ１が上述したと同様な作用効果を呈し、何等支障のない点灯を行うことができる。
【００８１】
この反射形の放電ランプＬ４は、小形であるとともに電源投入後、迅速な光束の立上がりを示し、たとえば自動車用前照灯や展示商品投光用などとして好適する。
【００８２】
また、図６は本発明の照明装置の一実施の形態として、スポットライトを示す正面図で、このスポットライトは、スポットライト本体Ｓと上記反射鏡付きの高圧放電ランプＬ４とからなる。
【００８３】
このスポットライト本体Ｓは、主としてライティングダクト取付部Ｓ１、アームＳ２および灯体Ｓ３を備えて構成されている。ライティングダクト取付部Ｓ１は、図示しないライティングダクトに着脱自在に取付けられてスポットライトを吊持するとともに、内部に点灯回路（図示しない。）を収納していて、ライティングダクトからから受電する。アームＳ２は、基端がライティングダクトＳ１に固定されている。灯体Ｓ３は、前面が開口した容器状をなし、アームＳ２の先端に垂直面内において、俯仰自在および水平面内で回動可能に枢着されているとともに、内部に設けられた捩じ込み形のランプソケット（図示しない。）に上記高圧放電ランプＬ４の口金９４が取着されている。
【００８４】
このスポットライトの場合も、反射鏡付きの高圧放電ランプＬ４内部に収容した放電ランプＬ１が上述したと同様な作用効果を呈し、何等支障のない点灯を行うことができる。
【００８５】
なお、本発明の上記実施の形態では、金属パイプの最内周表面を覆う耐ハロゲン性の高い材料としてタングステンを用い説明したが、この金属パイプまたは被覆材料としてはタングステンに限らずタンタル、白金、金や銀など、これら金属の合金やこれら金属が主体の他の材料との合金またはモリブデン材料以上に耐ハロゲン性の高いアルミニウム、ケイ素、イットリウムやディスプロシウムなどの酸化物（Ａｌ２　Ｏ３　、ＳｉＯ２　、Ｙ２　Ｏ３　、Ｄｙ２　Ｏ３　など）からなるセラミックスあるいはタングステンやタンタルの酸化物などあるいはこれら酸化物の混合物を用いることができ、また、被覆形態としてはパイプ状として挿入したり、粉末を塗布して形成することができる。
【００８６】
【発明の効果】請求項１の発明によれば、透光性セラミックス放電容器の端部を閉塞するとともに電極構体を支持している金属パイプは、内周面の表面側が耐ハロゲン性の高いタングステンやタンタルなどの金属またはセラミックスなどの材料で形成あるいは被覆して保護され、容器内に封入されるヨウ素などのハロゲンとの結合による変質を抑制したので、容器と金属パイプとを封着接合する接着層にクラックや界面の剥がれによるリークなどを防ぐことができる。
【００８７】
したがって、早期にランプ寿命に至らせるなどの不具合のない、長寿命の高圧放電ランプを提供できる。
【００８８】
請求項２の発明によれば、金属パイプがハロゲンとの結合による変質を抑制できるとともに透光性セラミックス放電容器と気密に閉塞することのできる材料を選ぶことにより、上記請求項１に記載したと同様な効果を奏する。
【００８９】
請求項３の発明によれば、ランプは外管を備えないものでもよいが、上記請求項１または２に記載の効果を有するランプを発光管として外管内に収容した多重管とすることにより、長寿命であるとともにその取扱いや安全性を高めた多重管形の高圧放電ランプを提供することができる。
【００９０】
請求項４の発明によれば、上記請求項１または２に記載の効果を有する高圧放電ランプを備えているので、この放電ランプを組み込んだ照明装置本体においてもランプの気密性は損なわれず短寿命の発生がないので、放電ランプ交換の手間などがかからないメンテナンスが容易な照明器具など各種の照明装置を提供することができる。
【図面の簡単な説明】
【図１】本発明の高圧放電ランプの実施の形態を示す一部断面正面図である。
【図２】（ａ）図および（ｂ）図は，高圧放電ランプに用いられる金属パイプおよび電極構体を備えた金属ろう材の実施の形態を示す断面正面図である。
【図３】図１の高圧放電ランプを外管内に封装した二重管形の高圧放電ランプの実施形態を示す概略正面図である。
【図４】本発明の二重管形の高圧放電ランプの他の実施の形態を示す概略正面図である。
【図５】本発明の多重管形の高圧放電ランプの他の実施の形態を示す一部切欠断面正面図である。
【図６】本発明の照明装置の一実施の形態を示すスポットライトの正面図である。
【符号の説明】
Ｌ１：高圧放電ランプ、　　Ｌ２，Ｌ３，Ｌ４：多重管形高圧放電ランプ、　　Ｓ：照明装置（スポットライト）、　　１：透光性セラミックス放電容器、　　１１：膨出部、　　１２：小径筒状部、　　２：金属パイプ、２Ｃ：耐ハロゲン性材料（セラミックス層）、　　２Ｐ：耐ハロゲン性材料（パイプ）、　　３：接着層、　　４：電極構体、　　４１：電極、　　５：金属ろう材、　　７：外管、
【図１】
2004055149.tif 000003
【図２】
2004055149.tif 000004
【図３】
2004055149.tif 000005
【図４】
2004055149.tif 000006
【図５】
2004055149.tif 000007
【図６】
2004055149.tif 000008